(57)【要約】      （修正有）【課題】自動方式で発光装置の昇降を調整することで発光装置を異なる高さに位置付けさせる自動的に伸縮可能な照明構造を提供する。【解決手段】自動的に伸縮可能な照明構造は、ランプベース１と、発光装置３と、ランプベースと発光装置との間に設けられる伸縮灯柱２と、伸縮灯柱に接続される駆動装置と、を含む。これにより、自動方式で発光装置の昇降を調整することで発光装置を異なる高さに位置付けさせることができる。【選択図】図１
0003174754.tif 000002
【実用新案登録請求の範囲】
【請求項１】
ランプベースと、
発光装置と、
前記ランプベースと前記発光装置との間に設けられる伸縮灯柱と、
前記伸縮灯柱に接続される駆動装置と、
を含むことを特徴とする自動的に伸縮可能な照明構造。
【請求項２】
前記伸縮灯柱は孤度を有することを特徴とする請求項１に記載の自動的に伸縮可能な照明構造。
【請求項３】
前記伸縮灯柱は、複数の桿体が相互に嵌め合わせて構成されたものであり、
前記複数の桿体は、異なるパイプ直径を有しており、パイプ直径の一番大きい前記桿体が前記ランプベースに接続され、パイプ直径の一番小さい前記桿体が前記発光装置に接続されることを特徴とする請求項１に記載の自動的に伸縮可能な照明構造。
【請求項４】
前記発光装置は、自在継ぎ手を介して前記伸縮灯柱の一端に接続されることを特徴とする請求項１に記載の自動的に伸縮可能な照明構造。
【請求項５】
前記駆動装置は、モーターと可撓性部材を含み、
前記可撓性部材は、中空構造体であり、前記モーターに接続され、
前記発光装置は、導線と接続され、
前記導線は、前記可撓性部材の内部に穿設されることを特徴とする請求項１に記載の自動的に伸縮可能な照明構造。
【請求項６】
前記モーターは、ハウジングと、前記ハウジングの内部に設けられる固定子及び回転子と、を含み、
前記回転子の中央にはねじ孔部材が設けられ、
前記可撓性部材は、長尺状を呈しており、その一端が前記伸縮灯柱の一端に接続され、その外周にねじ山部が形成され、
前記可撓性部材は、前記ねじ孔部材に穿設され、前記可撓性部材の前記ねじ山部と前記ねじ孔部材が相互に螺合することを特徴とする請求項５に記載の自動的に伸縮可能な照明構造。
【請求項７】
前記可撓性部材はコイルスプリングであることを特徴とする請求項６に記載の自動的に伸縮可能な照明構造。
【請求項８】
前記ランプベースには収容空間が形成され、
前記駆動装置は、前記ランプベースの前記収容空間に設けられ、
前記ランプベースの前記収容空間には巻取機構が設けられ、
前記可撓性部材は、前記巻取機構に選択的に巻き取られることを特徴とする請求項５に記載の自動的に伸縮可能な照明構造。
【請求項９】
前記発光装置と前記駆動装置に電気的に接続される制御スイッチを更に含むことを特徴とする請求項１に記載の自動的に伸縮可能な照明構造。
【請求項１０】
前記駆動装置は前記伸縮灯柱に設けられることを特徴とする請求項１に記載の自動的に伸縮可能な照明構造。
【請求項１１】
ランプベースと、
前記ランプベースの内部に設けられる駆動装置と、
前記駆動装置に接続される発光装置と、
を含むことを特徴とする自動的に伸縮可能な照明構造。
【請求項１２】
前記駆動装置は、モーターと可撓性部材を含み、
前記可撓性部材は、中空構造体であり、前記モーターに接続され、
前記発光装置は、導線と接続され、
前記導線は、前記可撓性部材の内部に穿設されることを特徴とする請求項１１に記載の自動的に伸縮可能な照明構造。
【請求項１３】
前記モーターは、ハウジングと、前記ハウジングの内部に設けられる固定子及び回転子と、を含み、
前記回転子の中央にはねじ孔部材が設けられ、
前記可撓性部材は、長尺状を呈しており、その一端が前記発光装置に接続され、その外周にねじ山部が形成され、
前記可撓性部材は、前記ねじ孔部材に穿設され、前記可撓性部材の前記ねじ山部と前記ねじ孔部材が相互に螺合することを特徴とする請求項１２に記載の自動的に伸縮可能な照明構造。
【請求項１４】
前記可撓性部材はコイルスプリングであることを特徴とする請求項１３に記載の自動的に伸縮可能な照明構造。
【請求項１５】
前記ランプベースには収容空間が形成され、
前記駆動装置は、前記ランプベースの前記収容空間に設けられ、
前記ランプベースの前記収容空間には巻取機構が設けられ、
前記可撓性部材は、前記巻取機構に選択的に巻き取られることを特徴とする請求項１２に記載の自動的に伸縮可能な照明構造。
【請求項１６】
前記発光装置と前記駆動装置に電気的に接続される制御スイッチを更に含むことを特徴とする請求項１１に記載の自動的に伸縮可能な照明構造。
【考案の詳細な説明】
【技術分野】
【０００１】
本考案は、照明構造に関し、特に照明に用いられると共に発光装置が必要に応じて昇降調整できる自動的に伸縮可能な照明構造に関するものである。
【背景技術】
【０００２】
生活水準の向上に伴い、人々は生活の豊かさを求めていると共に生活環境のデザインの要求にもますます高まっている。日常用品、家具の配置だけではなく、ランプの配置も環境美観と快適性に貢献を与える。よって、照明設備は日常生活において不可欠な生活用品とも言える。
【０００３】
様々な照明設備の中で、フロアースタンドランプ、フロアランプ、卓上スタンドなどの照明設備は多くの人に愛用されている。市販の各種の照明設備の発光装置は、大体固定されて必要に応じて昇降調整できないようにしている。また、市販の一部の照明設備は、ユーザーが手動方式で灯柱（ｌｉｇｈｔ ｓｔａｆｆ）の長さを調整できるように灯柱を伸縮可能に設計することによって、照明設備の発光装置を調整する目的を達成する。但し、手動方式で発光装置の昇降を調整することは、手間がかかるため、操作不便という欠点がある。
【考案の概要】
【考案が解決しようとする課題】
【０００４】
そこで、本考案の出願人は、上述の問題点を改善するために、鋭意検討を行なった結果、上述の問題点を有効に解決することができる、有利な構成を有する本考案を完成するに至った。
【０００５】
本考案の目的は、自動方式で発光装置の昇降を調整することで発光装置を異なる高さに位置付けさせる自動的に伸縮可能な照明構造を提供することにある。
【課題を解決するための手段】
【０００６】
第１の実施方式において、本考案に係る自動的に伸縮可能な照明構造は、ランプベースと、発光装置と、前記ランプベースと前記発光装置との間に設けられる伸縮灯柱と、前記伸縮灯柱に接続される駆動装置と、を含む。
【０００７】
第２の実施方式において、本考案に係る自動的に伸縮可能な照明構造は、ランプベースと、前記ランプベースの内部に設けられる駆動装置と、前記駆動装置に接続される発光装置と、を含む。
【考案の効果】
【０００８】
本考案によれば、駆動装置で発光装置を駆動して発光装置の昇降を調整することによって、発光装置を異なる高さに位置付けさせることができるため、ユーザーが必要に応じて発光装置を所望の位置に調整することができると共に照明の利便性を向上できる。
【０００９】
また、本考案において、自動方式で発光装置の昇降調整を制御するようにしているため、操作しやすくて操作の利便性を向上することができる。
【００１０】
また、本考案において、伸縮灯柱を伸長した時に彎曲形状を呈するように伸縮灯柱を弧状に設計することによって、発光装置の昇降を調整できるだけではなく、発光装置を異なる前後位置に移動させるように発光装置を調整できるため、発光装置の調整の利便性を更に向上することができる。
【図面の簡単な説明】
【００１１】
【図１】本考案に係る自動的に伸縮可能な照明構造の立体模式図を示すものである。
【図２】本考案に係る自動的に伸縮可能な照明構造の平面模式図を示すものである。
【図３】本考案に係る自動的に伸縮可能な照明構造の他の態様の平面模式図を示すものである。
【図４】本考案に係る自動的に伸縮可能な照明構造の断面模式図を示すものである。
【図５】本考案に係る自動的に伸縮可能な照明構造の他の態様の断面模式図を示すものである。
【図６】本考案に係る自動的に伸縮可能な照明構造の他の態様の平面模式図を示すものである。
【考案を実施するための形態】
【００１２】
以下、本明細書と図面に開示された本考案の実施形態は、本考案の技術内容をより分かりやすく説明し、本考案の理解を助けるために実施例を挙げたことに過ぎず、本考案の範囲を限定するものではない。
【００１３】
（第１の実施例）
図１〜図３は本考案に係る自動的に伸縮可能な照明構造を示すものである。本考案に係る自動的に伸縮可能な照明構造は、フロアースタンドランプ、フロアランプ、卓上スタンドなど様々の照明設備に適用でき、特に限定されるものではない。本考案に係る自動的に伸縮可能な照明構造は、ランプベース１、伸縮灯柱２、発光装置（例えば、ランプヘッドなど）３及び駆動装置４を含む。ランプベース１は丈夫なベース台であり、地面や机などに置くためのものである。図４に示すように、ランプベース１の内部には収容空間１１が形成される。収容空間１１は駆動装置４などを収容することができる。ランプベース１又は他の適当な箇所には制御スイッチ１２が設けられる。制御スイッチ１２は、発光装置３と駆動装置４に電気的に接続されるようにしてもよい。制御スイッチ１２は、発光装置３をオンオフする機能と発光装置３の輝度を制御する機能を有するようにしているが、更に駆動装置４を制御する機能を有するようにしてもよい。伸縮灯柱２は、ランプベース１と発光装置３との間に設けられる。駆動装置４は、ランプベース１の収容空間１１の内部又はランプベース１の適当な箇所に設けられており、伸縮灯柱２に接続される。また、容易に伸縮灯柱２を押して伸縮灯柱２を伸長又は短縮させることができるように、駆動装置４を伸縮灯柱２の一端（例えば、上端など）に接続するようにしてもよい。
【００１４】
伸縮灯柱２は、複数段の伸縮可能な桿体であると共に、複数の桿体が相互に嵌め合わせることで構成されたものである。桿体の数量は特に限定されておらず、必要に応じて適当に増減できる。本実施例において、伸縮灯柱２は、第１の桿体２１、第２の桿体２２、第３の桿体２３、第４の桿体２４及び第５の桿体２５が相互に嵌め合わせることで構成されたものである。これらの桿体２１〜２５は異なるパイプ直径を有する。これらの桿体２１〜２５のパイプ直径は上から下へ大きくなりつつある。即ち、第１の桿体２１のパイプ直径は一番小さいのに対し、第５の桿体２５のパイプ直径は一番大きい。本実施例において、伸縮灯柱２は、パイプ直径が一番大きい第５の桿体２５がランプベース１に接続されると共にパイプ直径が一番小さい第１の桿体２１が発光装置３に接続されるようにしている。これにより、発光装置３は、伸縮灯柱２を介してランプベース１に接続される。これらの桿体２１〜２５を伸長する場合、これらの桿体２１〜２５が係止部材又は傾斜構造などの位置付け構造によって適当に位置づけられることでこれらの桿体２１〜２５を抜け止めするようにしてもよい。また、位置付け構造は、この技術分野において当業者に常用されるものであるため、ここでは詳しい説明を省略する。また、図３に示すように、これらの桿体２１〜２５を短縮する場合、これらの桿体２１〜２４をパイプ直径が一番大きい第５の桿体２５の内部に収容することで占用スペースを小さくすることができる。
【００１５】
本実施例において、伸縮灯柱２は弧度を有する。即ち、伸縮灯柱２は孤状を呈する。また、他の実施例において、伸縮灯柱２は、孤状を有しておらず鉛直状を呈するようにしてもよい。図２に示すように、孤状を呈する伸縮灯柱２の各桿体２１〜２５のいずれも孤状を有するため、伸縮灯柱２を伸長した場合、伸縮灯柱２は彎曲形状を呈する。これにより、発光装置３の昇降を調整できる上に、発光装置３を異なる前後位置に移動させるように調整できる。図２において、発光装置３は右方（及び前方）へ移動したり左方（及び後方）へ移動したりすることができる。一方、鉛直状を呈する伸縮灯柱２は、発光装置３を異なる高さに位置付けさせるように発光装置３の昇降のみを調整する。
【００１６】
発光装置３の構造は、必要に応じて適当に設計することができ、特に限定されるものではない。発光装置３は、ランプカバー３１と、ランプカバー３１の中に設けられる発光素子３２と、を含む。本実施例において、発光素子３２は発光ダイオードである。また、発光素子３２は、電球又は各種の発光できる部品であってもよい。発光装置３は伸縮灯柱２の上端に接続される。即ち、発光装置３は伸縮灯柱２の第１の桿体２１に接続される。また、発光装置３は、自在継ぎ手（ｕｎｉｖｅｒｓａｌ ｃｏｕｐｌｉｎｇ）３３で伸縮灯柱２に接続されるようにしてもよい。これにより、発光装置３を上下左右に伸縮調整できるため、発光装置３を容易に異なる位置に移動させることができる。照明構造は更に導線３４を有する。発光装置３は導線３４に電気的に接続される。導線３４は、電源装置に電気的に接続されると共に、制御スイッチ１２に電気的に接続される。
【００１７】
図４に示すように、本実施例において、駆動装置４はモーター４１と可撓性部材４２を含む。可撓性部材４２はモーター４１に接続される。モーター４１は、ハウジング４１１と、ハウジング４１１の内部に設けられる固定子４１２及び回転子４１３と、を備える。固定子４１２はコイルである。回転子４１３は永久磁石である。回転子４１３の中央にはねじ孔部材（雌ねじ部材）４１４が設けられる。ねじ孔部材４１４は、その内部にねじ孔が貫通形成された部材である。ねじ孔部材４１４と回転子４１３は軸受け４１５によってハウジング４１１に支持される。これにより、回転子４１３とねじ孔部材４１４は自在に回転できる。モーター４１は、電源装置に電気的に接続されると共に、制御スイッチ１２に電気的に接続される。モーター４１に電力を印加すると、回転子４１３を駆動して回転子４１３が回転することでねじ孔部材４１４を回転させる。可撓性部材４２は中空構造体であり、その内部には発光装置３に接続される導線３４が穿設される。可撓性部材４２は、導線３４を保護するためのものであり、導線３４が縺れることによる導線３４のダメージや短絡を防ぐことができる。
【００１８】
可撓性部材４２は、可撓性を有すると共に十分な長さを有する長尺状の部材であり、その外周にはねじ山部４２１が形成される。また、本実施例において、可撓性部材４２はコイルスプリングであり、そのコイルスプリングの外周をねじ山４２１として使用するようにしてもよい。可撓性部材４２は、モーター４１のねじ孔部材４１４の中に穿設されており、ねじ山４２１によってねじ孔部材４１４と相互に螺合する。可撓性部材４２の一端は、伸縮灯柱２の一端（上端）に接続され、即ち伸縮灯柱２の第１の桿体２１に接続される。一方、可撓性部材４２の他端（下端）はランプスベース１に固定される。モーター４１のねじ孔部材４１４が回転すると、螺旋作用で可撓性部材４２を移動させることによって、可撓性部材４２をランプベース１から伸ばしたりランプベース１に縮めたりする。これにより、可撓性部材４２に伸長動作と短縮動作を行わせることによって、発光装置３を異なる高さの位置に位置付けさせるように自動方式で発光装置３の昇降を調整する。
【００１９】
また、本考案において、ランプベース１の収容空間１１には盤状式又はレール式の巻取機構１３が設けられるようにしてもよい。この場合、可撓性部材４２は巻取機構１３に選択的に巻き取られる。即ち、可撓性部材４２をランプベース１の内部に縮める時、巻取機構１３によって可撓性部材４２をスムーズに巻き取って可撓性部材４２をランプベース１の内部にきちんと収める。また、巻取機構１３を省略しても、可撓性部材４２は依然としてランプベース１の収容空間１１の内部に巻き取って収められることができる。
【００２０】
（第２の実施例）
図５に示すように、本考案の第２の実施例において、第１の実施例における伸縮灯柱２を省略する。第２の実施例に係る自動的に伸縮可能な照明構造は、ランプベース１、発光装置３及び駆動装置４を含む。駆動装置４はランプベース１の収容空間１１の内部に設けられる。また、駆動装置４の可撓性部材４２の一端は発光装置３に接続される。本実施例の他の構造と第１の実施例の構造とは大体同じであるため、その説明を省略する。モーター４１のねじ孔部材４１４が回転すると、螺旋作用で可撓性部材４２を移動させることによって、可撓性部材４２をランプベース１から伸ばしたりランプベース１に縮めたりする。これにより、発光装置３を異なる高さの位置に位置付けさせるように駆動装置４によって発光装置３の昇降を直接的に調整する。また、本実施例において、可撓性部材４２を有しておらず、駆動装置４の可撓性部材４２によって発光装置３を支持するため、第１の実施例と比べれば、可撓性部材４２がランプベース１から伸長した時に発光装置３を安定に支持できるように本実施例の可撓性部材４２はより良好な強度を有することが必要である。また、可撓性部材４２は、ランプベース１の収容空間１１の内部に巻き取って収められることができるように十分な可撓性を有する。
【００２１】
（第３の実施例）
図６に示すように、第３の実施例において、伸縮灯柱２は、第１の桿体２６と第２の桿体２７を相互に嵌め合わせることで構成されたものである。伸縮灯柱２は、パイプ直径の大きい第２の桿体２７がランプベース１に接続されると共にパイプ直径の小さい第１の桿体２６が発光装置３に接続されることによって、発光装置３とランプベース１との間に接続される。駆動装置４は伸縮灯柱２に設けられる。これにより、駆動装置４によって伸縮灯柱２を駆動して、伸縮灯柱２に伸長動作と短縮動作を行わせる。本実施例において、駆動装置４は、モーター４３、ギア４４及びギアラック（ｇｅａｒ ｒａｃｋ）４５を含む。モーター４３は第２の桿体２７の上端に固定される。ギア４４はモーター４３の出力軸に接続される。ギアラック４５は第１の桿体２６の一側に設けられる。ギア４４とギアラック４５は相互に噛合して歯車列を構成する。歯車列は伸縮灯柱２に設けられる。モーター４３が回転すると、ギア４４を連動回転させると共にギア４４によってギアラック４５を押して第１の桿体２６を連動移動させることによって、伸縮灯柱２に伸縮動作を行わせる。これにより、発光装置３を異なる高さ位置に位置付けさせるように発光装置３の昇降を調整する。
【００２２】
本考案において、発光装置３を異なる高さ位置に位置付けさせるように駆動装置４によって発光装置３の昇降を調整することによって、ユーザーのニーズに応じて発光装置３を所望の位置に調整でき、照明の利便性を向上できる。また、本考案において、自動方式で発光装置３の昇降を調整するため、操作しやすくて操作の利便性を向上することができる。
【００２３】
また、本考案において、伸縮灯柱２を伸長した時に彎曲形状を呈するように伸縮灯柱２を弧状に設計することによって、発光装置３の昇降を調整できるだけではなく、発光装置３を異なる前後位置に移動させるように発光装置３を調整できるため、発光装置３の調整の利便性を更に向上することができる。
【００２４】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２５】
１  ランプベース
１１  収容空間
１２  制御スイッチ
１３  巻取機構
２  伸縮灯柱
２１  第１の桿体
２２  第２の桿体
２３  第３の桿体
２４  第４の桿体
２５  第５の桿体
２６  第１の桿体
２７  第２の桿体
３  発光装置
３１  ランプカバー
３２  発光素子
３３  自在継ぎ手
３４  導線
４  駆動装置
４１  モーター
４１１  ハウジング
４１２  固定子
４１３  回転子
４１４  ねじ孔部材
４１５  軸受け
４２  可撓性部材
４２１  ねじ山部
４３  モーター
４４  ギア
４５  ギアラック
【図１】
0003174754.tif 000003
【図２】
0003174754.tif 000004
【図３】
0003174754.tif 000005
【図４】
0003174754.tif 000006
【図５】
0003174754.tif 000007
【図６】
0003174754.tif 000008